(57)【要約】【課題】途中で通線が不可能となっても通信手段を確保することができる光ファイバ複合電話ケーブルの布設方法を提供する。【解決手段】光ファイバ複合電話ケーブルの布設方法は、既設電話ケーブル１０と光ファイバ複合電話ケーブル１１の入れ替えを行う際、既設電話ケーブル１０内に有する銅線１６，１７を光ファイバ複合電話ケーブル１１内の銅線１８，１９と接続し、既設電話ケーブル１０を通信可能な状態とした上でケーブル入れ替え作業を行う。【選択図】図３
2011008154.tif 000002
【特許請求の範囲】
【請求項１】
予め既設電話ケーブルが配線されている電話配管の配管口で、前記既設電話ケーブルを切断し、
前記既設電話ケーブルの切断部に光ファイバ複合電話ケーブルを割入れ接続し、
前記既設電話ケーブルと前記光ファイバ複合電話ケーブルの入れ替えを行う光ファイバ複合電話ケーブルの布設方法であって、
前記既設電話ケーブル内に有する銅線を前記光ファイバ複合電話ケーブル内の銅線と接続し、前記既設電話ケーブルを通信可能な状態とした上で、ケーブル入れ替え作業を行うことを特徴とする光ファイバ複合電話ケーブルの布設方法。
【請求項２】
予め既設電話ケーブルが配線されている電話配管の配管口で、前記既設電話ケーブルに光ファイバ複合電話ケーブルを割入れ接続し、
前記既設電話ケーブルと前記光ファイバ複合電話ケーブルの入れ替えを行う光ファイバ複合電話ケーブルの布設方法であって、
前記電話配管の配管口で前記既設電話ケーブルの外被を少なくとも２か所除去する工程と、
前記既設電話ケーブルの前記外被除去箇所で銅線を切断せずに該銅線の被覆のみを除去する工程と、
前記光ファイバ複合電話ケーブル内の銅線を前記既設電話ケーブルに割入れる工程と、
前記既設電話ケーブルの前記外被除去箇所に挟まれた部位を切断除去する工程と、
前記既設電話ケーブルと前記光ファイバ複合電話ケーブルの接続部とにテープ巻きを施す工程と、
前記既設電話ケーブルを牽引線として前記光ファイバ複合電話ケーブルを前記電話配管内に引き入れる工程と、を含んでおり、
前記既設電話ケーブルと前記光ファイバ複合電話ケーブルとの入れ替えを行うことを特徴とする光ファイバ複合電話ケーブルの布設方法。
【請求項３】
前記既設電話ケーブルを牽引線として前記光ファイバ複合電話ケーブルを前記電話配管に引き入れる工程において、
前記牽引線をコイル状に巻き取ることを特徴とする請求項１または２に記載の光ファイバ複合電話ケーブルの布設方法。
【発明の詳細な説明】
【技術分野】
【０００１】
本発明は、電話配管に予め配線されている既設電話ケーブルに光ファイバ複合電話ケーブルを接続する光ファイバ複合電話ケーブルの布設方法に関する。
【背景技術】
【０００２】
従来の光ファイバ複合電話ケーブルの布設方法の一例として、既設の引き込み用配管内に布設されている銅線を用いたメタルケーブルを撤去してから、その配管内に銅線と光ファイバを用いた複合ケーブルを布設する布設方法が採られている（例えば、特許文献１参照）。
【０００３】
上記特許文献１に開示された光ファイバ複合電話ケーブルの布設方法では、既設の銅線を用いたメタルケーブルを、複合ケーブル引き込み用の牽引手段として利用し、銅線と光ファイバを用いた複合ケーブルの銅線に、引張り張力が加わるように牽引端末具を取り付けている。
【先行技術文献】
【特許文献】
【０００４】
【特許文献１】特開２００４−２０１４４７号公報
【発明の概要】
【発明が解決しようとする課題】
【０００５】
通常、既設のマンション内に光ケーブルを配線する場合、新規の配線ルートを確保することが難しいため、既設の電話線入り電話配管の空きスペース内に光ケーブルを押し込んで通線する方法が一般的である。しかし、空きスペースは十分でない場合も多く、光ケーブルが通線途中に引っ掛かり、最後まで通線できないケースがあった。
また、キセル配管のように配管が途切れている場合では、この配管の途切れている地点が人手の届かない位置にあると、途切れた地点から先には通線することができなかった。
【０００６】
このような課題を解決するために、上記特許文献１に開示された光ファイバ複合電話ケーブルの布設方法が採用されていた。
しかしながら、全てのケースで通線が可能となるわけではなく、配管の潰れなどによる空きスペース不足で通線途中で引っ掛かり、通線を完遂出来ないケースが散見される。その場合、既設の電話ケーブルの通信が不可能となり、光ケーブルの使用も出来なくなるため、通信手段が途絶えてしまうという課題があった。
【０００７】
本発明の目的は、上述した事情に鑑みてなされたものであり、途中で通線が不可能となっても通信手段を確保することができる光ファイバ複合電話ケーブルの布設方法を提供することにある。
【課題を解決するための手段】
【０００８】
上記課題を解決することができる本発明に係る光ファイバ複合電話ケーブルの布設方法は、予め既設電話ケーブルが配線されている電話配管の配管口で、前記既設電話ケーブルを切断し、前記既設電話ケーブルの切断部に光ファイバ複合電話ケーブルを割入れ接続し、  前記既設電話ケーブルと前記光ファイバ複合電話ケーブルの入れ替えを行う光ファイバ複合電話ケーブルの布設方法であって、
前記既設電話ケーブル内に有する銅線を前記光ファイバ複合電話ケーブル内の銅線と接続し、前記既設電話ケーブルを通信可能な状態とした上で、ケーブル入れ替え作業を行うことを特徴としている。
【０００９】
上記構成の光ファイバ複合電話ケーブルの布設方法によれば、配管端末地点で既設電話ケーブルを切断し、光ファイバ複合電話ケーブルと接続し、これらの入れ替え通線作業を行う。これにより、途中で通線が不可能となっても通信手段を確保することができる。なお、この場合、既設電話ケーブルを切断してから、光ファイバ複合電話ケーブルを割入れるので、作業中に通信回線が一時的に途絶えることになる。
【００１０】
上記課題を解決することができる本発明に係る光ファイバ複合電話ケーブルの布設方法は、予め既設電話ケーブルが配線されている電話配管の配管口で、前記既設電話ケーブルに光ファイバ複合電話ケーブルを割入れ接続し、前記既設電話ケーブルと前記光ファイバ複合電話ケーブルの入れ替えを行う光ファイバ複合電話ケーブルの布設方法であって、
前記電話配管の配管口で前記既設電話ケーブルの外被を少なくとも２か所除去する工程と、前記既設電話ケーブルの前記外被除去箇所で銅線を切断せずに該銅線の被覆のみを除去する工程と、前記光ファイバ複合電話ケーブル内の銅線を前記既設電話ケーブルに割入れる工程と、前記既設電話ケーブルの前記外被除去箇所に挟まれた部位を切断除去する工程と、前記既設電話ケーブルと前記光ファイバ複合電話ケーブルの接続部とにテープ巻きを施す工程と、前記既設電話ケーブルを牽引線として前記光ファイバ複合電話ケーブルを前記電話配管内に引き入れる工程と、を含んでおり、前記既設電話ケーブルと前記光ファイバ複合電話ケーブルとの入れ替えを行うことを特徴としている。
【００１１】
上記構成の光ファイバ複合電話ケーブルの布設方法によれば、電話配管の配管口で既設電話ケーブルの外被を少なくとも２か所除去し、既設電話ケーブルの外被除去箇所で銅線を切断せずに銅線の被覆のみを除去し、光ファイバ複合電話ケーブル内の銅線を既設電話ケーブルに割入れる。そして、既設電話ケーブルの外被除去箇所に挟まれた部位を切断除去し、既設電話ケーブルと光ファイバ複合電話ケーブルの接続部とにテープ巻きを施し、既設電話ケーブルを牽引線として光ファイバ複合電話ケーブルを電話配管に引き入れる。これにより、途中で通線が不可能となっても通信手段を確保することができる。なお、この場合、既設電話ケーブルを切断せずに、２か所の被覆のみを除去して光ファイバ複合電話ケーブルを割入れ、その後で既設電話ケーブルを切断するので、作業中に通信回線は途絶えない。
【００１２】
本発明に係る光ファイバ複合電話ケーブルの布設方法は、前記既設電話ケーブルを牽引線として前記光ファイバ複合電話ケーブルを前記電話配管に引き入れる工程において、前記牽引線をコイル状に巻き取ることが好ましい。
【００１３】
上記構成の光ファイバ複合電話ケーブルの布設方法によれば、牽引線をコイル状に巻き取ることにより、入れ替え後に不要となった牽引線をコンパクトに収納することができ、入れ替え後に不要となった牽引線の切断除去を必要としない。
【発明の効果】
【００１４】
本発明に係る光ファイバ複合電話ケーブルの布設方法によれば、既設電話ケーブル内に有する銅線を光ファイバ複合電話ケーブル内の銅線と接続し、既設電話ケーブルを通信可能な状態とした上でケーブル入れ替え作業を行う。したがって、途中で通線が不可能となっても通信手段を確保することができる。
【図面の簡単な説明】
【００１５】
【図１】本発明に係る第１実施形態の光ファイバ複合電話ケーブルの布設方法の第１工程の概略図である。
【図２】図１の光ファイバ複合電話ケーブルの布設方法の第２工程の概略図である。
【図３】図１の光ファイバ複合電話ケーブルの布設方法の第３工程の概略図である。
【図４】図３の光ファイバ複合電話ケーブルを示す断面図である。
【図５】図１の光ファイバ複合電話ケーブルの布設方法の第４工程および本発明に係る第２実施形態の光ファイバ複合電話ケーブルの布設方法の概略図である。
【図６】図１の光ファイバ複合電話ケーブルの布設方法の第５工程の概略図である。
【図７】図１の光ファイバ複合電話ケーブルの布設方法の第６工程の概略図である。
【図８】図１の光ファイバ複合電話ケーブルの布設方法の第７工程の概略図である。
【発明を実施するための形態】
【００１６】
以下、本発明に係る光ファイバ複合電話ケーブルの布設方法の実施形態について図面を参照して説明する。
【００１７】
本発明の第１実施形態である光ファイバ複合電話ケーブルの布設方法には、電話配管１００に予め配線されている既設電話ケーブル１０と、光ファイバ複合電話ケーブル１１とが適用される。本実施形態の光ファイバ複合電話ケーブルの布設方法は、以下の７工程を順番に実行する。
【００１８】
図１に示すように、光ファイバ複合電話ケーブルの布設方法の第１工程は、マンション等に既に設置されている電話配管１００の配管口１０１で既設電話ケーブル１０の外被１２の所定位置１３，１４の２か所を除去する。所定位置１３，１４は、それぞれの場所で以下に記載の作業が実施できる程度に離れていればよく、例えば１ｍ程度に設定できる。
【００１９】
図２に示すように、光ファイバ複合電話ケーブルの布設方法の第２工程は、既設電話ケーブル１０の外被除去箇所に相当する所定位置１３，１４の銅線被覆１５のみを除去する。これにより、一端側の銅線１６および他端側の銅線１７を露出させる。
【００２０】
図３に示すように、光ファイバ複合電話ケーブルの布設方法の第３工程は、光ファイバ複合電話ケーブル１１から引き出した一端側の銅線１８および他端側の銅線１９を既設電話ケーブル１０の一端側の銅線１６および他端側の銅線１７にそれぞれ割入れる。
このとき、光ファイバ複合電話ケーブル１１は、電話配管１００内に配線されている既設電話ケーブル１０の長さ寸法と同等の長さ寸法を有している。そして、両端の被覆２０を除去して一端側の銅線１８および他端側の銅線１９がそれぞれ引き出されている。
【００２１】
図４に示すように、光ファイバ複合電話ケーブル１１は、電話線対である１対の電話線用銅線２４，２４と、１心の光ファイバ心線２５との複合線を備えている。光ファイバ複合電話ケーブル１１は、例えば、外径６．５ｍｍ、厚さ０．７ｍｍのシース２７内に、外径０．６５ｍｍの銅線１８の外側に絶縁被覆２０を有する外径１．０５ｍｍの１対の電話線用銅線２４，２４と、被覆層を有する外径０．９ｍｍの単心の光ファイバ心線２５とを撚り合せた４対の電話線光ファイバ心線複合体２６を備えている。
光ファイバ複合電話ケーブル１１は、光ファイバ心線２５の撚りピッチが電話線用銅線２４の撚りピッチと同じである。また、光ファイバ心線２５の外径が電話線用銅線２４により形成される外接円Ａ内に収まる寸法に設定されている。
【００２２】
第３工程により、既設電話ケーブル１０の所定位置１３で、一端側の銅線１６が光ファイバ複合電話ケーブル１１の一端側の銅線１８に電気的に接続される。また、既設電話ケーブル１０の所定位置１４で、他端側の銅線１７が光ファイバ複合電話ケーブル１１の他端側の銅線１９に電気的に接続される。
このとき、銅線１６と銅線１８の接続部分、および銅線１７と銅線１９の接続部分の引張強度を得るために、例えば、銅線同士を捻じる（ツイスト）ようにしている。
【００２３】
図５に示すように、光ファイバ複合電話ケーブルの布設方法の第４工程は、既設電話ケーブル１０の所定位置１３，１４に挟まれた既設電話ケーブル除去部（図３参照）２１を切断除去する。これにより、既設電話ケーブル除去部２１を除去したにも拘わらず、既設電話ケーブル１０の一端側の銅線１６と他端側の銅線１７は、光ファイバ複合電話ケーブル１１の一端側の銅線１８および他端側の銅線１９を介して接続されている。
【００２４】
図６に示すように、光ファイバ複合電話ケーブルの布設方法の第５工程は、既設電話ケーブル１０の一端側の銅線１６と光ファイバ複合電話ケーブル１１の一端側の銅線１８との接続部分にテープ巻き２２を施す。これにより、既設電話ケーブル１０の一端側の銅線１６と光ファイバ複合電話ケーブル１１の一端側の銅線１８との接続部分が被覆される。
また、既設電話ケーブル１０の他端側の銅線１７と光ファイバ複合電話ケーブル１１の他端側の銅線１９との接続部分にテープ巻き２２を施す。これにより、既設電話ケーブル１０の他端側の銅線１７と光ファイバ複合電話ケーブル１１の他端側の銅線１９との接続部分が被覆される。
【００２５】
図７に示すように、光ファイバ複合電話ケーブルの布設方法の第６工程は、互いに接続された既設電話ケーブル１０および光ファイバ複合電話ケーブル１１の内、電話配管１００内にある既設電話ケーブル１０を牽引線とする。牽引線として既設電話ケーブル１０を図中左側方向に引き入れることで、光ファイバ複合電話ケーブル１１を電話配管１００内に引き入れることができる。
【００２６】
図８に示すように、光ファイバ複合電話ケーブルの布設方法の第７工程は、既設電話ケーブル１０を牽引線として、光ファイバ複合電話ケーブル１１をマンション内の電話配管１００に引き入れた後、不要となった牽引線をコイル状に巻き取って巻回ケーブル２３として保持して置く。これにより、既設電話ケーブル１０と光ファイバ複合電話ケーブル１１との入れ替え作業が完了する。
【００２７】
上述したように、本実施形態の光ファイバ複合電話ケーブルの布設方法によれば、電話配管１００の配管口１０１で既設電話ケーブル１０の外被１２の所定位置１３，１４を２か所除去し、既設電話ケーブル１０の所定位置１３，１４で銅線１６，１７を切断せずに銅線１６，１７の被覆１５のみを除去する。次に、光ファイバ複合電話ケーブル１１内の銅線１８，１９を既設電話ケーブル１０に割入れ、既設電話ケーブル１０の所定位置１３，１４に挟まれた既設電話ケーブル除去部２１を切断除去する。
【００２８】
次に、既設電話ケーブル１０と光ファイバ複合電話ケーブル１１の接続部とにテープ巻き２２を施し、既設電話ケーブル１０を牽引線として光ファイバ複合電話ケーブル１１を電話配管１００に引き入れる。これにより、途中で通線が不可能となっても通信手段を確保することができる。
【００２９】
また、前記光ファイバ複合電話ケーブルの布設方法において、不要になった牽引線をコイル状に巻き取って巻回ケーブル２３として保持して置くことで、入れ替え後に不要となった牽引線をコンパクトに収納することができ、入れ替え後に不要となった牽引線の切断除去を必要としない。
【００３０】
次に、本発明の第２実施形態である光ファイバ複合電話ケーブルの布設方法について説明する。なお、上記第１実施形態と同一工程については説明を省略または簡略化して説明する。
【００３１】
本実施形態の光ファイバ複合電話ケーブルの布設方法は、上記第１実施形態の光ファイバ複合電話ケーブルの布設方法と異なり、先に電話配管１００の配管口１０１付近の既設電話ケーブル１０を切断する。そして、既設電話ケーブル１０の切断部分の両端の外被１２および被覆１５を除去して銅線１６，１７を露出させる。
【００３２】
次に、図５に示すように、光ファイバ複合電話ケーブル１１から引き出した銅線１８，１９を既設電話ケーブル１０の切断部分の銅線１６，１７にそれぞれ接続する。このとき、銅線１６と銅線１８の接続部分、および銅線１７と銅線１９の接続部分を捻じることで引張強度を確保する。これにより、既設電話ケーブル１０の一端側の銅線１６と他端側の銅線１７は、切断時に通信回線が一時的に途絶えるものの、光ファイバ複合電話ケーブル１１の銅線１８，１９を介して接続され、通信回線は回復する。
【００３３】
なお、既設電話ケーブル１０の銅線１６，１７と光ファイバ複合電話ケーブル１１の銅線１８，１９の接続部分のテープ巻き工程、および光ファイバ複合電話ケーブル１１を電話配管１００内に引き入れる牽引工程以降は、上記第１実施形態と同じなので説明を省略する。
【００３４】
上述したように、本実施形態の光ファイバ複合電話ケーブルの布設方法によれば、電話配管１００の配管口１０１で既設電話ケーブル１０を切断し、光ファイバ複合電話ケーブル１１と接続し、これらの入れ替え通線作業を行う。これにより、途中で通線が不可能となっても通信手段を確保することができる。
【００３５】
なお、光ファイバ複合電話ケーブル１１の外径は、既設電話ケーブル１０と同等以下であることが望ましい。すでに内蔵されているケーブル外径と同等以下であれば、通線を確実に完遂することができる。
【００３６】
また、光ファイバ複合電話ケーブル１１を既設電話ケーブル１０に割入れて、既設電話ケーブル１０の通信が可能な状態とした上で、ケーブル入れ替え作業を行うのが望ましい。これにより、配管が途中で潰れていてケーブル入れ替え作業が完遂できない場合に、光通信は断念せざるを得ないとしても、既設の電話ケーブルの通信状態は最低限確保することができる。一方、既設電話ケーブル１０を、銅線を複合しない純粋な光ケーブルと入れ替える布設方法では、入れ替え作業が完遂できない場合に、通信手段が途絶えることになるので好ましくない。
【００３７】
また、既設電話ケーブル１０内の実用に供されている銅線数は、新たに引き込む光ファイパ複合電話ケーブル１１内の銅線数と同数であるのが望ましい。また、銅線の外径も同じであることが望ましい。
また、新たに引き入れるケーブルの外径は、なるべく小さい方が入れ替えを完遂し易いので、不必要に多数の銅線を実装したケーブルと入れ替えるのは不適切である。
【００３８】
なお、本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【符号の説明】
【００３９】
１０  既設電話ケーブル
１１  光ファイバ複合電話ケーブル
１２  外被
１５  被覆
１６  一端側の銅線
１７  他端側の銅線
１８  一端側の銅線
１９  他端側の銅線
２２  テープ巻き
２３  巻回ケーブル
１００  電話配管
１０１  配管口
【図１】
2011008154.tif 000003
【図２】
2011008154.tif 000004
【図３】
2011008154.tif 000005
【図４】
2011008154.tif 000006
【図５】
2011008154.tif 000007
【図６】
2011008154.tif 000008
【図７】
2011008154.tif 000009
【図８】
2011008154.tif 000010